(57)【要約】【課題】段積み作業を容易かつ確実に行うことができる作業機およびその段積構造を提供する。【解決手段】前輪７および後輪８に支持されるフレーム２を有し、段積み可能な作業機１であって、フレーム２は、前輪７の車軸１７と後輪８の車軸１８とが固定された下側フレーム３と、下側フレーム３の上方に配置されて、他の作業機１が段積みされるときに当該他の作業機１の前輪７の車軸１７と後輪８の車軸１８とが載置される上側フレーム４と、を有し、上側フレーム４には、前後方向に間隔ｄをあけて一対の突起３０，３０が設けられており、一対の突起３０，３０は、それらの間に前輪７の車軸１７および後輪８の車軸１８が収まるような間隔ｄで設けられている。【選択図】図１
2016049507.tif 000002
【特許請求の範囲】
【請求項１】
前輪（７）および後輪（８）に支持されるフレーム（２）を有し、段積み可能な作業機（１）であって、
前記フレーム（２）は、
前記前輪（７）の車軸（１７）と前記後輪（８）の車軸（１８）とが固定された下側フレーム（３）と、
前記下側フレーム（３）の上方に配置されて、他の作業機（１）が段積みされるときに当該他の作業機（１）の前記前輪（７）の車軸（１７）と前記後輪（８）の車軸（１８）とが載置される上側フレーム（４）と、を有し、
前記上側フレーム（４）には、前後方向に間隔（ｄ）をあけて一対の突起（３０，３０）が設けられており、
前記一対の突起（３０，３０）は、それらの間に前記前輪（７）の車軸（１７）および前記後輪（８）の車軸（１８）が収まるような前記間隔（ｄ）で設けられていることを特徴とする作業機（１）。
【請求項２】
前記一対の突起（３０，３０）の向かい合う内側面（３０ａ）が、互いに近づくにつれて低くなるように傾斜していることを特徴とする請求項１に記載の作業機（１）。
【請求項３】
前記上側フレーム（４）の上方に突出する吊りフック（２０）と、
前記下側フレーム（３）に支持されて、機器が搭載されるセット台（９）と、を更に備え、
前記セット台（９）には、下側に配置された他の作業機（１）の前記一対の突起（３０，３０）の間に前記前輪（７）の車軸（１７）および前記後輪（８）の車軸（１８）が収まったときに当該他の作業機（１）の前記吊りフック（２０）と対応する位置に、前記吊りフック（２０）を挿通可能な孔部（９ａ）が設けられていることを特徴とする請求項１または２に記載の作業機（１）。
【請求項４】
請求項１〜３のいずれか一項に記載の作業機（１）を複数備え、当該複数の作業機（１）が、前記一対の突起（３０，３０）の間に前記前輪（７）の車軸（１７）および前記後輪（８）の車軸（１８）が収まった状態で段積みされた作業機（１）の段積構造（１００）。
【発明の詳細な説明】
【技術分野】
【０００１】
本発明は、特に、フレームを有する作業機およびその段積構造に関する。
【背景技術】
【０００２】
フレームを有する作業機として、たとえば、特許文献１に記載されるように、エンジンとエンジンにより駆動されるプランジャポンプとが架台に搭載された洗浄機が知られている。この洗浄機では、一対の四角状のフレームの下部の間に、架台が固定されている。一方、特許文献２に記載されるように、複数の洗浄機を段積み可能とした構造が知られている。この洗浄機の台車は、台枠部分と、台車の一端側および他端側に立設された主ハンドルおよび補助ハンドルとからなっており、主ハンドルの折曲部分を折りたたんだときに、この折曲部分の先端が補助ハンドル上に当接するように構成されている。下側のフレームには逆Ｕ字状のハンドル受け部が突設されている。この洗浄機を段積みすると、折りたたまれた主ハンドルの先端部にハンドル受け部が係止される。また、上側の洗浄機の車輪は、下側の洗浄機の主ハンドルの両外側に係合する。このようにして、洗浄機を２段または３段に段積みすることができる。
【先行技術文献】
【特許文献】
【０００３】
【特許文献１】特開２０１３−１９２９９９号公報
【特許文献２】特開平１０−３０９５４３号公報
【発明の概要】
【発明が解決しようとする課題】
【０００４】
従来の作業機では、段積み可能に構成されていた場合でも、段積み時に２段目の作業機を１段目の作業機上に降下させる際、位置決めの拠り所となるものが無かった。若しくは、降下させる位置を視認し難かった。
【０００５】
本発明は、段積み作業を容易かつ確実に行うことができる作業機およびその段積構造を提供することを目的とする。
【課題を解決するための手段】
【０００６】
本発明は、前輪（７）および後輪（８）に支持されるフレーム（２）を有し、段積み可能な作業機（１）であって、フレーム（２）は、前輪（７）の車軸（１７）と後輪（８）の車軸（１８）とが固定された下側フレーム（３）と、下側フレーム（３）の上方に配置されて、他の作業機（１）が段積みされるときに当該他の作業機（１）の前輪（７）の車軸（１７）と後輪（８）の車軸（１８）とが載置される上側フレーム（４）と、を有し、上側フレーム（４）には、前後方向に間隔（ｄ）をあけて一対の突起（３０，３０）が設けられており、一対の突起（３０，３０）は、それらの間に前輪（７）の車軸（１７）および後輪（８）の車軸（１８）が収まるような間隔（ｄ）で設けられていることを特徴とする。
【０００７】
この作業機（１）によれば、上側フレーム（４）に、段積みされる他の作業機（１）の前輪（７）の車軸（１７）と後輪（８）の車軸（１８）とが載置される。上側フレーム（４）に設けられた一対の突起（３０，３０）の間には前輪（７）の車軸（１７）および後輪（８）の車軸（１８）が収まるようになっているため、前後の車軸（１７，１８）を突起（３０，３０）の間に嵌め込むように他の作業機（１）を降下させればよく、段積み作業時の位置決めが容易である。一対の突起（３０，３０）は上側フレーム（４）に設けられているため、突起（３０，３０）を視認し易く、段積み作業を確実に行うことができる。しかも、前後の車軸（１７，１８）が突起（３０，３０）に係止されるため、段積みされた作業機（１）が安定しており、安全性が確保される。
【０００８】
一対の突起（３０，３０）の向かい合う内側面（３０ａ）が、互いに近づくにつれて低くなるように傾斜していると、前後の車軸（１７，１８）を突起（３０，３０）の間に嵌め込み易くなり、より一層、段積み作業が容易になる。
【０００９】
上記の作業機（１）は、上側フレーム（４）の上方に突出する吊りフック（２０）と、下側フレーム（３）に支持されて、機器が搭載されるセット台（９）と、を更に備え、セット台（９）には、下側に配置された他の作業機（１）の一対の突起（３０，３０）の間に前輪（７）の車軸（１７）および後輪（８）の車軸（１８）が収まったときに当該他の作業機（１）の吊りフック（２０）と対応する位置に、吊りフック（２０）を挿通可能な孔部（９ａ）が設けられている。この構成によれば、下側の作業機（１）上に上側の作業機（１）を降下させる際、視認容易な吊りフック（２０）と孔部（９ａ）とを合わせることによって、前後の車軸（１７，１８）が突起（３０，３０）の間に嵌まり込むことになるため、段積み作業をより容易かつ確実に行うことができる。
【００１０】
上記の作業機（１）を複数備え、当該複数の作業機（１）が、一対の突起（３０，３０）の間に前輪（７）の車軸（１７）および後輪（８）の車軸（１８）が収まった状態で段積みされた作業機（１）の段積構造（１００）。この段積構造（１００）によれば、作業機（１）の段積み作業が容易かつ確実であり、さらには、安全性も確保されている。
【発明の効果】
【００１１】
本発明によれば、段積み作業を容易かつ確実に行うことができる。
【図面の簡単な説明】
【００１２】
【図１】本発明の一実施形態に係る作業機を上から見た斜視図である。
【図２】図１の作業機を下から見た斜視図である。
【図３】図１に示す作業機を２段に段積みした段積構造の斜視図である。
【図４】図４の正面図である。
【図５】段積みされた２台の作業機の係止部を示す正面図である。
【発明を実施するための形態】
【００１３】
以下、本発明の実施形態について、図面を参照しながら説明する。なお、図面の説明において同一要素には同一符号を付し、重複する説明は省略する。本明細書及び特許請求の範囲において使用されている「上」、「下」、「左」、「右」、「前」、「後」等の方向を示す語は、水平面上に作業機を設置した状態において、当該作業機の通常の前進方向を前方と定めた状態を基準としている。以下の実施形態では、本発明がエンジン式の高圧洗浄機に適用される場合について説明する。
【００１４】
図１および図２を参照して、本実施形態の洗浄機（作業機）１について説明する。洗浄機１は、エンジン式の高圧洗浄機であり、エンジン１０によって駆動されるポンプ１１を備えている。エンジン１０は、たとえば単気筒エンジンである。ポンプ１１は、たとえばプランジャポンプ（往復動ポンプ）であり、エンジン１０により駆動されて、吸水口５１から液体（たとえば水または洗浄液等）を吸水し、吐出口５２に接続されたホースを介して、液体をノズルガン（いずれも図示せず）から吐出させる。吸水口５１とポンプ１１との間には、ラインストレーナ１２が設けられている。
【００１５】
洗浄機１は、方形のフレーム２と、フレーム２を支持する前輪７および後輪８とを具備している。フレーム２は、左右の両側において上下方向および前後方向に延在する四角形の枠体２ａ，２ａを有しており、それぞれの枠体２ａは、下側フレーム３と、上側フレーム４と、これらを前後で連結する前側フレーム５ａおよび後ろ側フレーム５ｂと、からなっている。これらの下側フレーム３、上側フレーム４、前側フレーム５ａおよび後ろ側フレーム５ｂは、たとえば鋼製のパイプからなる。２本の上側フレーム４，４は平行に延びており、前後方向の中央部において、これらの間を１本の補強フレーム６が連結している。２本の下側フレーム３，３は平行に延びており、これらの間を２本の支持フレーム１３，１３が連結している。下側フレーム３の鉛直上方に、上側フレーム４が配置されている。よって、下側フレーム３，３の左右の間隔と上側フレーム４，４の左右の間隔とは等しい。
【００１６】
図２に示されるように、支持フレーム１３，１３は平行に延びており、車軸１７および車軸１８の離間距離に対応して、前後方向に離間している。下側フレーム３，３と支持フレーム１３，１３とによって、長方形の開口Ａが形成されている。そして、前輪７の車軸１７が、下側フレーム３および前方の支持フレーム１３の下端に固定されており、後輪８の車軸１８が、下側フレーム３および後方の支持フレーム１３の下端に固定されている。前輪７および後輪８は、下側フレーム３，３の外方側に配置されている。図１に示されるように、左側の下側フレーム３の外面には、後輪８を回転不能または回転自在とするためのブレーキレバー１６が回動可能に取り付けられている。後輪８に固定され周方向に配列された複数のピン８ａ（またはボルト。図５参照）のうちの１本にブレーキレバー１６が係合することにより、後輪８が回転不能とされ、ブレーキレバー１６がピン８ａから離脱することで、後輪８が回転自在とされる。
【００１７】
支持フレーム１３，１３上には、４つの防振ゴム１４を介して長方形状の鋼板製のセット台９が取り付けられている。このように下側フレーム３，３によって支持されたセット台９上に、上記した各機器、すなわちエンジン１０およびポンプ１１等が搭載されている。洗浄機１の各機器は、枠体２ａ，２ａ間のスペース内に収められている。また、セット台９の下面は、下側フレーム３，３間および支持フレーム１３，１３間の開口Ａから、下方に露出している。なお、右側の前側フレーム５ａと後ろ側フレーム５ｂのそれぞれには、ノズルガンを保持するためのＬ字状のノズルガンホルダー１９が、フレーム２の外方に突出するようにして取り付けられている。
【００１８】
さらに、上側フレーム４，４間を連結する補強フレーム６には、上側フレーム４，４の上方に突出する逆Ｕ字状の吊りフック２０が設けられている。この吊りフック２０は、補強フレーム６の延在方向に沿って延びており、言い換えれば、前後方向に直交する平面に沿って延びている。吊りフック２０は、洗浄機１の前後方向および左右方向の重心の位置に設けられている。補強フレーム６に固定された吊りフック２０に吊り具（図示せず）が引っ掛けられて洗浄機１が吊られることで、洗浄機１全体の移設・運搬または収納が可能になっている。
【００１９】
図３および図４を参照して、洗浄機１の段積構造１００について説明する。本実施形態の洗浄機１においては、複数の洗浄機１が段積み可能になっている。洗浄機１は、２段または３段以上に段積みすることができ、このような構成により、洗浄機１の収納スペースの削減が図られている。下側の洗浄機１に対して上側の洗浄機１を降下させて段積みする場合、下側の洗浄機１の上側フレーム４，４上に、上側の洗浄機１（すなわち段積みされる洗浄機１）の車軸１７，１８が載置される。
【００２０】
図１、図３および図５に示されるように、上側フレーム４上には、前後方向に間隔ｄをあけて一対の突起３０，３０が設けられている。他方の上側フレーム４上にも、前後方向に間隔ｄをあけて一対の突起３０，３０が設けられている。各突起３０は、溶接等によって上側フレーム４または他の介在部材に接合されている。このように、大きさ及び形状が同じである４つの突起３０が、上側フレーム４上に固定されており、上側フレーム４から上方に所定の高さ突出している。右の上側フレーム４上の突起３０と、左の上側フレーム４上の突起３０とは、前後方向の位置が揃えられており、よって、これらの突起３０，３０は左右に整列している。
【００２１】
図５に示されるように、前後方向に並ぶ二対の突起３０，３０は、それらの間に前輪７の車軸１７および後輪８の車軸１８が収まるような間隔ｄで設けられている。本実施形態では、各突起３０は、前後方向に向かい合う内側面３０ａ（すなわち前方の突起３０の後面、後方の突起３０の前面）が、互いに近づくにつれて低くなるように傾斜している。すなわち、突起３０は、左右の側方から見て三角形状である。突起３０，３０の内側面３０ａの下端（上側フレーム４との交点）の間隔ｄが、車軸１７の前端と車軸１８の後端との間の距離よりも僅かに小さくなっている。かつ、間隔ｄは、車軸１７の後端と車軸１８の前端との間の距離よりも僅かに大きくなっている。なお、突起３０，３０の間隔ｄが、車軸１７の前端と車軸１８の後端との間の距離と等しくてもよく、当該距離より僅かに大きくてもよい。
【００２２】
図３および図４に示される洗浄機１の段積構造１００では、複数の洗浄機１が、一対の突起３０，３０の間に前輪７の車軸１７および後輪８の車軸１８が収まった状態で、段積みされている。これにより、突起３０，３０が車軸１７および車軸１８の前後方向の動きを規制し、洗浄機１の安定化が図られている。さらに、図２に示されるように、開口Ａから下方に露出しているセット台９の中央部には、下側に配置された洗浄機１の一対の突起３０，３０の間に車軸１７および車軸１８が収まったときにその洗浄機１の吊りフック２０と対応する位置に、吊りフック２０を挿通可能な孔部９ａが設けられている。孔部９ａは、左右方向に延びる長孔であり、前後方向においては、吊りフック２０よりも僅かに大きい幅を有する。この孔部９ａは、他の洗浄機１の吊りフック２０の上端部２０ａ（図３参照）を挿通させつつ、吊りフック２０に対するセット台９の前後方向への移動を規制する。このように、セット台９の孔部９ａは、吊りフック２０に対する逃げ孔であるとともに、吊りフック２０を係止して、洗浄機１の固定に寄与する。
【００２３】
複数の洗浄機１を段積み格納時には、下側の洗浄機１に対して、上側の洗浄機１を吊り下げながら降下させる。このとき、作業者は、下側の洗浄機１の吊りフック２０に対して、上側の吊りフック２０の孔部９ａを合わせるよう、洗浄機１を降下させる。ここで、孔部９ａと吊りフック２０とは、位置および回転方向（水平方向の向き）を合わせたときにのみ、孔部９ａに吊りフック２０を挿通させることができる。吊りフック２０に対して孔部９ａを位置合わせしつつ、洗浄機１をさらに降下させると、孔部９ａに吊りフック２０の上端部２０ａが通り係止される。これと同時に、４つの突起３０間に車軸１７，１８が収まる。車軸１７，１８が上側フレーム４上に載置されると、段積みが完了する。
【００２４】
以上説明した本実施形態の洗浄機１によれば、上側フレーム４に、段積みされる他の洗浄機１の前輪７の車軸１７と後輪８の車軸１８とが載置される。上側フレーム４に設けられた一対の突起３０，３０の間には前輪７の車軸１７および後輪８の車軸１８が収まるようになっているため、前後の車軸１７，１８を突起３０，３０の間に嵌め込むように他の洗浄機１を降下させればよく、段積み作業時の位置決めが容易になっている。一対の突起３０，３０は上側フレーム４に設けられているため、突起３０，３０を視認し易く、段積み作業を確実に行うことができる。しかも、前後の車軸１７，１８が突起３０，３０に係止されるため、段積みされた洗浄機１が安定しており、洗浄機１の落下が防止され、安全性が確保されている。
【００２５】
また、一対の突起３０，３０の向かい合う内側面３０ａが、互いに近づくにつれて低くなるように傾斜しているため、前後の車軸１７，１８を突起３０，３０の間に嵌め込み易くなり、より一層、段積み作業が容易になっている。
【００２６】
また、下側の洗浄機１上に上側の洗浄機１を降下させる際、視認容易な吊りフック２０と孔部９ａとを合わせるため、これらの係止状態を視認し易い。これらが係止すると、前後の車軸１７，１８が突起３０，３０の間に嵌まり込むことになるため、段積み作業をより容易かつ確実に行うことができる。吊りフック２０とセット台９とは、それぞれ本来の機能を有するが、これらの部品を利用して位置決め及び係止の機能を付加している。このような工夫によって、使い易さと安全性とが向上しており、しかも別途の部材を用いることなく、コストアップが抑えられており、実質的なコストダウンが実現されている。
【００２７】
段積構造１００によれば、洗浄機１の段積み作業が容易かつ確実であり、さらには、安全性も確保されている。
【００２８】
また、セット台９に設けられた孔部９ａは、吊りフック２０と同じ左右方向に延びており、前後方向においては、吊りフック２０よりも僅かに大きい幅を有する。よって、孔部９ａは、吊りフック２０に対するセット台９の前後方向の移動を規制するのみならず、吊りフック２０に対するセット台９、すなわち段積みされる上側の洗浄機１の位置・姿勢を決め、そして洗浄機１を固定する機能を有している。その結果として、洗浄機１の段積み保管時の安定性が増している。
【００２９】
以上、本発明の実施形態について説明したが、本発明は上記実施形態に限られない。たとえば、二対の突起３０が左右の上側フレーム４，４に設けられる場合に限られず、左右のいずれか一方の上側フレーム４に設けられてもよい。この場合でも、洗浄機１を安定して段積みすることができる。
【００３０】
突起３０の形状は、三角形状に限られない。円柱状または角柱状の突起であってもよく、ドーム状（半球状）の突起であってもよい。セット台９の孔部９ａを省略してもよい。
【００３１】
上記実施形態では、エンジン式の高圧洗浄機について説明したが、本発明は、このようなタイプの洗浄機に限られず、他のタイプの洗浄機にも適用可能である。また、本発明は、洗浄機に限られず、フレームを有する作業機であって、段積み可能な作業機全般に適用可能である。また、フレームは、方形のフレームに限られない。
【符号の説明】
【００３２】
１…洗浄機（作業機）、２…フレーム、３…下側フレーム、４…上側フレーム、７…前輪、８…後輪、９…セット台、９ａ…孔部、１０…エンジン、１１…ポンプ、１７…車軸（前輪の車軸）、１８…車軸（後輪の車軸）、２０…吊りフック、３０…突起、３０ａ…内側面、１００…段積構造、ｄ…間隔。
【図１】
2016049507.tif 000003
【図２】
2016049507.tif 000004
【図３】
2016049507.tif 000005
【図４】
2016049507.tif 000006
【図５】
2016049507.tif 000007